(57)【要約】【課題】異物の影響を受け難い検出ユニットおよび給湯システムを実現可能とする。【解決手段】センサ９２は、内部通路１２０を有するボディ１１６と、ボディ１１６に設けられた軸受１６０，１６２により支持される回転軸１１８と、回転軸１１８に設けられた羽根車１３０，１３２と、羽根車１３０又は１３２の回転状態を検出するための検出部１１４と、を備える。回転軸１１８は、羽根車１３０が一体に設けられた回転軸１２６と、羽根車１３２が一体に設けられた回転軸１２８とを軸線方向に同軸状に接続して構成される。回転軸１２６は、一端部が軸受１６０に回転可能に支持され、他端部が回転軸１２８の一端部に固定される。回転軸１２８は、一端部が軸受１６２に回転可能に支持され、内部通路１２０外に延出した部分に羽根車１３２が設けられている。【選択図】図２
2015219019.tif 000002
【特許請求の範囲】
【請求項１】
流体の流動状態を検出するためのセンサであって、
流体を導入するための入口ポートと、流体を導出するための出口ポートと、前記入口ポートと前記出口ポートとをつなぐ内部通路を有するセンサボディと、
前記センサボディにおける上流側に設けられた第１軸受と、
前記センサボディにおける下流側に設けられた第２軸受と、
前記第１軸受と前記第２軸受とにより支持されて前記内部通路に延在するとともに、前記内部通路の外部に延出する回転軸と、
前記内部通路に配置されて前記回転軸に支持され、前記内部通路における流体の流れに応じて回転する第１回転体と、
前記内部通路外に配置されて前記回転軸に支持され、前記内部通路外の流体の流れに応じて回転する第２回転体と、
前記第１回転体又は前記第２回転体の回転状態を検出するための検出部と、
を備え、
前記回転軸は、前記第１回転体が一体に設けられた第１回転軸と、前記第２回転体が一体に設けられた第２回転軸とを軸線方向に同軸状に接続して構成され、
前記第１回転軸は、一端部が前記第１軸受に回転可能に支持され、他端部が前記第２回転軸の一端部に固定され、
前記第２回転軸は、一端部が前記第２軸受に回転可能に支持され、前記内部通路外に延出した部分に前記第２回転体が設けられていることを特徴とするセンサ。
【請求項２】
前記第２回転軸は、
一端部が前記第２軸受に挿通されて回転可能に支持され、
一端に前記第２軸受の挿通孔よりも大径の係止部を有し、
前記内部通路側から前記第２軸受に挿通され、
他端側から前記第２回転体が組み付けられていることを特徴とする請求項１に記載のセンサ。
【請求項３】
前記第２回転軸は、樹脂材を成形して得られたものであることを特徴とする請求項１または２に記載のセンサ。
【請求項４】
前記第２回転軸は、前記第１回転体の他端部に係合することにより、前記第１回転軸との相対的な回転を防止するための係合部を有することを特徴とする請求項１〜３のいずれかに記載のセンサ。
【請求項５】
前記第２回転軸が樹脂材からなり、
前記第２回転体は、前記第２回転軸に外挿されるように組み付けられた後、前記第２回転軸の他端部に熱加締めを施すことにより前記第２回転軸に固定されていることを特徴とする請求項１〜４のいずれかに記載のセンサ。
【請求項６】
前記検出部は、前記第１回転体の回転状態を検出することにより、前記第２回転体の回転状態を間接的に検出することを特徴とする請求項１〜５のいずれかに記載のセンサ。
【請求項７】
流体の流動状態を検出するための検出ユニットであって、
第１流路と第２流路が形成され、前記第１流路と前記第２流路との接続点が内部に設けられたメインボディと、
前記メインボディに組み付けられ、前記第１流路を通過する流体および前記第２流路を通過する流体のそれぞれの流動状態を検出するセンサと、
を備え、
前記センサは、
流体を導入するための入口ポートと、流体を導出するための出口ポートと、前記入口ポートと前記出口ポートとをつなぐ内部通路を有し、前記第１流路における前記接続点の上流側に組み付けられたセンサボディと、
前記センサボディにおける上流側に設けられた第１軸受と、
前記センサボディにおける下流側に設けられた第２軸受と、
前記第１軸受と前記第２軸受とにより支持されて前記内部通路に延在するとともに、前記接続点に向けて前記内部通路の外部に延出する回転軸と、
前記内部通路に配置されて前記回転軸に支持され、前記第１流路の流体の流れに応じて回転する第１回転体と、
前記接続点に配置されて前記回転軸に支持され、前記第２流路の流体の流れに応じて回転する第２回転体と、
前記第１回転体又は前記第２回転体の回転状態を検出するための検出部と、
を備え、
前記回転軸は、前記第１回転体が一体に設けられた第１回転軸と、前記第２回転体が一体に設けられた第２回転軸とを軸線方向に同軸状に接続して構成され、
前記第１回転軸は、一端部が前記第１軸受に回転可能に支持され、他端部が前記第２回転軸の一端部に固定され、
前記第２回転軸は、一端部が前記第２軸受に回転可能に支持され、前記接続点に延在する部分に前記第２回転体が設けられていることを特徴とする検出ユニット。
【請求項８】
浴槽の湯水を循環させるための循環回路と、
調温された湯水を前記循環回路を通じて前記浴槽に供給するために前記循環回路に接続されている給湯配管と、
前記給湯配管と前記循環回路とをつなぐ第１流路と、前記循環回路を構成する第２流路とが形成され、前記第１流路と前記第２流路との接続点が内部に設けられた分岐配管と、
前記分岐配管に組み付けられ、前記第１流路を通過する湯水および前記第２流路を通過する湯水のそれぞれの流動状態を検出するセンサと、
を備え、
前記センサは、
湯水を導入するための入口ポートと、湯水を導出するための出口ポートと、前記入口ポートと前記出口ポートとをつなぐ内部通路を有し、前記第１流路における前記接続点の上流側に組み付けられたセンサボディと、
前記センサボディにおける上流側に設けられた第１軸受と、
前記センサボディにおける下流側に設けられた第２軸受と、
前記第１軸受と前記第２軸受とにより支持されて前記内部通路に延在するとともに、前記接続点に向けて前記内部通路の外部に延出する回転軸と、
前記内部通路に配置されて前記回転軸に支持され、前記第１流路の湯水の流れに応じて回転する第１回転体と、
前記接続点に配置されて前記回転軸に支持され、前記第２流路の湯水の流れに応じて回転する第２回転体と、
前記第１回転体又は前記第２回転体の回転状態を検出するための検出部と、
を備え、
前記回転軸は、前記第１回転体が一体に設けられた第１回転軸と、前記第２回転体が一体に設けられた第２回転軸とを軸線方向に同軸状に接続して構成され、
前記第１回転軸は、一端部が前記第１軸受に回転可能に支持され、他端部が前記第２回転軸の一端部に固定され、
前記第２回転軸は、一端部が前記第２軸受に回転可能に支持され、前記接続点に延在する部分に前記第２回転体が設けられていることを特徴とする給湯システム。
【発明の詳細な説明】
【技術分野】
【０００１】
本発明は、流体の流動状態を検出するためのセンサ、そのセンサを含む検出ユニット、およびその検出ユニットを備える給湯システムに関する。
【背景技術】
【０００２】
給湯装置には一般に、適温に調整された湯水を浴槽へ落とし込む落とし込み給湯路のほか、浴槽に溜められた湯水を追い焚きするための追い焚き循環路が設けられる。このような給湯装置においては、落とし込み給湯路にフローセンサが設けられ、湯張りを行う際に浴槽に落とし込む流量が監視される。また、追い焚き循環路にも湯水の循環を検出するために同様のフローセンサ又はフロースイッチが設けられる。しかしながら、このようなセンサ・スイッチの増加は装置の大型化、複雑化、製造コストの上昇につながる。そこで、その落とし込み流量や追い焚き循環流量を検出するための共用の流量検出装置を、落とし込み給湯路と追い焚き循環路との接続部に設ける構成も提案されている（例えば、特許文献１参照）。このような流量検出装置は一般に、流れを受けて回転する羽根車を備え、その回転数から流量を検出する。
【先行技術文献】
【特許文献】
【０００３】
【特許文献１】特開平１０−１８５６３６号公報
【発明の概要】
【発明が解決しようとする課題】
【０００４】
しかしながら、追い焚きは通常、人が入浴したあとに行われるため、循環する湯水は皮膚等の汚れや毛髪などの異物が含まれる汚水となっている。このため、その汚水中の異物が流量検出用の羽根車の軸受部に侵入すると、回転軸の円滑な回転を阻害し、正確な検出に支障をきたす虞がある。
【０００５】
本発明はこのような課題に鑑みてなされたものであり、その目的は、異物の影響を受け難い検出ユニットおよび給湯システムを実現可能とし、より好ましくは、それを既存のセンサの構造を利用して低コストに実現可能とすることにある。
【課題を解決するための手段】
【０００６】
本発明のある態様は、流体の流動状態を検出するためのセンサである。このセンサは、流体を導入するための入口ポートと、流体を導出するための出口ポートと、入口ポートと出口ポートとをつなぐ内部通路を有するセンサボディと、センサボディにおける上流側に設けられた第１軸受と、センサボディにおける下流側に設けられた第２軸受と、第１軸受と第２軸受とにより支持されて内部通路に延在するとともに、内部通路の外部に延出する回転軸と、内部通路に配置されて回転軸に支持され、内部通路における流体の流れに応じて回転する第１回転体と、内部通路外に配置されて回転軸に支持され、内部通路外の流体の流れに応じて回転する第２回転体と、第１回転体又は第２回転体の回転状態を検出するための検出部と、を備える。
【０００７】
回転軸は、第１回転体が一体に設けられた第１回転軸と、第２回転体が一体に設けられた第２回転軸とを軸線方向に同軸状に接続して構成される。第１回転軸は、一端部が第１軸受に回転可能に支持され、他端部が第２回転軸の一端部に固定される。第２回転軸は、一端部が第２軸受に回転可能に支持され、内部通路外に延出した部分に第２回転体が設けられている。
【０００８】
この態様によると、第１回転軸に第２回転軸を直列に接続することにより、軸線方向に２つの回転体を配置するセンサを簡易に実現することができる。特に、第１回転体が一体に設けられた第１回転軸や第１軸受として既存のセンサの部品をそのまま流用することもでき、その場合には部品コストの低減が可能となる。そして、このように構成されたセンサの第１回転軸と第２回転軸を流路に適切に配置することで、後述のように異物の影響を受け難い検出ユニットおよび給湯システムを実現することが可能となる。
【０００９】
本発明の別の態様は、流体の流動状態を検出するための検出ユニットである。この検出ユニットは、第１流路と第２流路が形成され、第１流路と第２流路との接続点が内部に設けられたメインボディと、メインボディに組み付けられ、第１流路を通過する流体および第２流路を通過する流体のそれぞれの流動状態を検出するセンサと、を備える。センサは、流体を導入するための入口ポートと、流体を導出するための出口ポートと、入口ポートと出口ポートとをつなぐ内部通路を有し、第１流路における接続点の上流側に組み付けられたセンサボディと、センサボディにおける上流側に設けられた第１軸受と、センサボディにおける下流側に設けられた第２軸受と、第１軸受と第２軸受とにより支持されて内部通路に延在するとともに、接続点に向けて内部通路の外部に延出する回転軸と、内部通路に配置されて回転軸に支持され、第１流路の流体の流れに応じて回転する第１回転体と、接続点に配置されて回転軸に支持され、第２流路の流体の流れに応じて回転する第２回転体と、第１回転体又は第２回転体の回転状態を検出するための検出部と、を備える。
【００１０】
回転軸は、第１回転体が一体に設けられた第１回転軸と、第２回転体が一体に設けられた第２回転軸とを軸線方向に同軸状に接続して構成される。第１回転軸は、一端部が第１軸受に回転可能に支持され、他端部が第２回転軸の一端部に固定される。第２回転軸は、一端部が第２軸受に回転可能に支持され、接続点に延在する部分に第２回転体が設けられている。
【００１１】
この態様によると、センサの第１軸受および第２軸受が、第１流路における接続点よりも上流側に設けられる。このため、その第１流路を落とし込み給湯路とし、第２流路を追い焚き循環路とするように当該検出ユニットを給湯システムに組み込むことにより、軸受への異物の侵入を防止又は抑制することができる。すなわち、このように検出ユニットを設置することにより、仮に追い焚き時に循環する湯水に異物が含まれていたとしても、その湯水が接続点を超えて第１流路の上流側へ侵入する可能性は低く、追い焚き循環路に沿って第２流路の下流側へ導かれ易い。このため、軸受に異物が侵入する可能性は低く、異物の影響を受け難い検出ユニットを提供することができる。また、センサの第１回転体、第１回転軸、第１軸受等に既存のセンサの部品を流用することもでき、その場合には低コストに実現することが可能となる。
【００１２】
本発明のさらに別の態様は、給湯システムである。この給湯システムは、浴槽の湯水を循環させるための循環回路と、調温された湯水を循環回路を通じて浴槽に供給するために循環回路に接続されている給湯配管と、給湯配管と循環回路とをつなぐ第１流路と、循環回路を構成する第２流路とが形成され、第１流路と第２流路との接続点が内部に設けられた分岐配管と、分岐配管に組み付けられ、第１流路を通過する湯水および第２流路を通過する湯水のそれぞれの流動状態を検出するセンサと、を備える。センサは、湯水を導入するための入口ポートと、湯水を導出するための出口ポートと、入口ポートと出口ポートとをつなぐ内部通路を有し、第１流路における接続点の上流側に組み付けられたセンサボディと、センサボディにおける上流側に設けられた第１軸受と、センサボディにおける下流側に設けられた第２軸受と、第１軸受と第２軸受とにより支持されて内部通路に延在するとともに、接続点に向けて内部通路の外部に延出する回転軸と、内部通路に配置されて回転軸に支持され、第１流路の湯水の流れに応じて回転する第１回転体と、接続点に配置されて回転軸に支持され、第２流路の湯水の流れに応じて回転する第２回転体と、第１回転体又は第２回転体の回転状態を検出するための検出部と、を備える。
【００１３】
回転軸は、第１回転体が一体に設けられた第１回転軸と、第２回転体が一体に設けられた第２回転軸とを軸線方向に同軸状に接続して構成される。第１回転軸は、一端部が第１軸受に回転可能に支持され、他端部が第２回転軸の一端部に固定される。第２回転軸は、一端部が第２軸受に挿通されて回転可能に支持され、接続点に延在する部分に第２回転体が設けられている。
【００１４】
この態様によると、循環回路と給湯配管との接続部に分岐配管が設けられ、その分岐配管にセンサが設けられるところ、そのセンサの第１軸受および第２軸受が、第１流路における接続点よりも上流側に設けられる。このため、仮に循環回路を流れる汚水に異物が含まれていたとしても、その湯水が接続点を超えて第１流路の上流側へ侵入する可能性は低く、循環回路に沿って第２流路の下流側へ導かれ易い。このため、軸受部に異物が侵入する可能性は低く、異物の影響を受け難いセンサを有する給湯システムを提供することができる。また、センサの第１回転体、第１回転軸、第１軸受等に既存のセンサの部品を流用することもでき、その場合には低コストに実現することが可能となる。
【発明の効果】
【００１５】
本発明によれば、異物の影響を受け難い検出ユニットおよび給湯システムを提供することができる。
【図面の簡単な説明】
【００１６】
【図１】実施形態に係る貯湯式給湯装置の構成を表すシステム図である。
【図２】検出ユニットの全体構成を表す断面図である。
【図３】センサの回転軸および回転体の構成を表す説明図である。
【図４】図２のＡ−Ａ矢視断面図である。
【図５】異物絡み防止構造およびその作用を示す説明図である。
【図６】変形例に係るセンサの回転軸および回転体の構成を表す説明図である。
【図７】他の変形例に係る検出ユニットの全体構成を表す断面図である。
【図８】他の変形例に係る検出ユニットの全体構成を表す断面図である。
【発明を実施するための形態】
【００１７】
以下、本発明の実施形態を、図面を参照して詳細に説明する。なお、以下の説明においては便宜上、図示の状態を基準に部材の位置関係を表現することがある。
【００１８】
［実施形態］
図１は、実施形態に係る貯湯式給湯装置の構成を表すシステム図である。本実施形態の給湯装置は、貯湯ユニット１０とヒートポンプユニット１２を備える。貯湯ユニット１０は、貯湯タンク１４のほか、湯水を循環または供給するための配管、湯水の流れを制御する制御弁、湯水の温度や流量を検出するためのセンサ等を備える。なお、以下の給水管等の「配管」は、流体が流通可能な管路を意味し、装置や部品間をつなぐ部材のほか、装置内の流通路も含む。給湯装置は、貯湯ユニット１０にて適温に調整された湯水を、浴槽１３やカラン１５等の給水設備に供給する。給湯装置は、貯湯タンク１４から送出されて適温に調整された湯水を浴槽１３へ落とし込む給湯回路のほか、浴槽１３に溜められた湯水を追い焚きするための追い焚き循環回路を備える。
【００１９】
上水道から供給される低温水は、給水管１６によって貯湯ユニット１０に供給される。給水管１６は、貯湯ユニット１０内にて第１給水管１７，第２給水管１８および第３給水管１９に分岐している。このうち、第１給水管１７が貯湯タンク１４の下部に接続されている。貯湯タンク１４とヒートポンプユニット１２との間には沸上循環回路が形成されている。すなわち、貯湯タンク１４の下部に接続された導出管２０がヒートポンプユニット１２に接続され、ヒートポンプユニット１２に接続された戻り管２２が貯湯タンク１４の上部に接続されている。なお、カラン１５には、給水管１６を介して給湯装置とは別系統で低温水が供給される。
【００２０】
このような構成により、貯湯タンク１４には上部に高温水、中間部に中温水、下部に低温水が存在する温度成層が形成される。貯湯タンク１４の下部に溜まった冷温水は、ヒートポンプユニット１２にて熱交換されて高温水となり、貯湯タンク１４に戻される。導出管２０には、このような沸上循環回路における湯水の循環を促進するためのポンプ２３が設けられている。
【００２１】
ヒートポンプユニット１２は、冷媒として二酸化炭素を用いる冷凍サイクルを備える。この冷凍サイクルは圧縮機、熱交換器、膨張弁、蒸発器を含む冷媒循環回路を備えるが、それらの構成および動作については公知であるため、その詳細な説明を省略する。上述の沸上循環回路を流れる低温水は、その熱交換器を経る際に沸き上げられて高温水となる。
【００２２】
貯湯タンク１４にはまた、追い焚きのための追い焚き熱源回路が接続されている。すなわち、貯湯タンク１４の上部と下部とを接続する加熱循環路２４が設けられ、その中途に熱交換器７０およびポンプ７２が配設されている。追い焚きの際にはポンプ７２が駆動される。それにより、貯湯タンク１４の上部に溜まった高温水が熱交換器７０に導かれ、浴槽１３側の循環通路８２を流れる湯水との間で熱交換が行われる。熱交換により温度低下した湯水は、貯湯タンク１４に戻される。
【００２３】
一方、貯湯タンク１４の上部には、高温水を導出する給湯管２５が接続されている。給湯管２５は、第１給湯管２６と第２給湯管２８に分岐している。第１給湯管２６は第２給水管１８と接続され、第２給湯管２８は第３給水管１９と接続されている。各給湯管を流れる高温水と各給水管を流れる低温水とは、それらの配管の接続部（合流部）において混合される。第１給湯管２６の高温水と第２給水管１８の冷温水との混合によって適温となった湯水は、配管３０を介して台所等のカラン１５に供給される。一方、第２給湯管２８の高温水と第３給水管１９の冷温水との混合によって適温となった湯水は、給湯配管３２を介して浴槽１３に供給される。
【００２４】
第１給湯管２６と第２給水管１８と配管３０との接続点には、第１混合弁３６が設けられている。第１混合弁３６は、第１給湯管２６を介して供給された高温水と、第２給水管１８を介して供給された低温水との混合比を調整し、配管３０に適温の湯水を導出する。第１給湯管２６における第１混合弁３６の上流側には、逆止弁４０が設けられている。第２給水管１８における第１混合弁３６の上流側には、逆止弁４２が設けられている。配管３０には上流側から温度センサ４８、フローセンサ５０が設けられている。図示しない制御部は、温度センサ４８の温度を取得し、使用者が図示しないリモートコントローラにて設定した給湯温度となるよう第１混合弁３６の開度を制御する。逆止弁４０は、給湯が停止されたときに合流部の湯水が第１給湯管２６に逆流することを防止する。逆止弁４２は、給湯が停止されたときに合流部の湯水が第２給水管１８に逆流することを防止する。
【００２５】
一方、第２給湯管２８と第３給水管１９と給湯配管３２との接続点には、第２混合弁３８が設けられている。第２混合弁３８は、第２給湯管２８を介して供給された高温水と、第３給水管１９を介して供給された低温水との混合比を調整し、給湯配管３２に適温の湯水を導出する。第２給湯管２８における第２混合弁３８の上流側には、逆止弁４４が設けられている。第３給水管１９における第２混合弁３８の上流側には、逆止弁４６が設けられている。給湯配管３２には上流側から温度センサ５２、制御弁ユニット５４が設けられている。図示しない制御部は、温度センサ５２の温度を取得し、使用者が図示しないリモートコントローラにて設定した給湯温度となるよう第２混合弁３８の開度を制御する。逆止弁４４は、給湯が停止されたときに合流部の湯水が第２給湯管２８に逆流することを防止する。逆止弁４６は、給湯が停止されたときに合流部の湯水が第３給水管１９に逆流することを防止する。
【００２６】
給水管１６における第１給水管１７との分岐点の上流側には、逆止弁５５、減圧弁５６および遮断弁５８が設けられている。減圧弁５６は、給水管１６を介して供給される冷温水の圧力を適宜減圧する。すなわち、水圧により貯湯タンク１４等が破損しないように適宜圧力調整を行うものである。遮断弁５８は、貯湯タンク１４に所定の湯水が溜まったときに給水管１６を遮断し、冷温水の供給を適宜停止する。逆止弁５５は、貯湯ユニット１０への給水の停止時に給水管１６における湯水の逆流を防止する。
【００２７】
また、制御弁ユニット５４は、その上流側から制御弁６０、逆止弁６２、大気開放弁６４および逆止弁６６が設けられている。制御弁６０は、電磁弁であり、給湯配管３２を開閉することにより浴槽１３への湯水の供給を許容又は遮断する。逆止弁６６および逆止弁６２は、浴槽１３から貯湯タンク１４側への湯水の逆流を段階的に防止する。大気開放弁６４は、上流側（一次側）の圧力低下に応動して逆止弁６２と逆止弁６６との間の空間を大気に開放する。
【００２８】
すなわち、例えば浴槽１３が貯湯ユニット１０よりも高い位置に設置されるような場合、浴槽１３の側に配置された逆止弁６６が異物の噛み込みなどにより水密不良となっていた場合には、浴槽１３内の汚水がその水頭圧により逆止弁６６を介して大気開放弁６４まで逆流してくる。このような場合であっても、その汚水は大気開放弁６４によって大気に放出されるため、浴槽１３内の汚水が貯湯ユニット１０ひいては上水道の方まで逆流することを防止できる。
【００２９】
給湯配管３２は、制御弁ユニット５４の下流側の分岐点Ｐにて、浴槽１３へ直接つながる接続通路８０と、追い焚き循環回路を形成する循環通路８２とに分岐する。分岐点Ｐには検出ユニット６８が設けられている。検出ユニット６８は、詳しくは後述するように、フローセンサ付きの分岐配管である。
【００３０】
接続通路８０にはポンプ８４が設けられ、循環通路８２の中途には熱交換器７０が設けられる。ポンプ８４は、追い焚き時にのみ駆動される。すなわち、浴槽１３の湯張りを行うときには制御弁６０が開弁され、第２混合弁３８にて適温に調整された湯水が供給される。その湯水は分岐点Ｐにて分岐し、図中実線矢印にて示すように、一方で接続通路８０を介して浴槽１３へ供給され、他方で循環通路８２を介して浴槽１３へ供給される。ただし、湯張り時にはポンプ７２は駆動されないため、追い焚きが行われることはない。湯張り中の湯水の供給量は、検出ユニット６８の検出値に基づいて算出される。所定流量の湯水の供給が完了すると、制御弁６０が閉弁され、湯張りは停止される。
【００３１】
一方、追い焚き時には、ポンプ７２，８４が駆動される。その結果、図中点線矢印にて示すように、浴槽１３内の湯水が熱交換器７０へ向けて送り出され、追い焚き循環回路を循環する。浴槽１３から排出された冷めた湯水は、熱交換器７０にて熱交換されて昇温し、再び浴槽１３へと戻される。この追い焚きにより、浴槽１３内の湯水が適温に温められる。なお、追い焚き時には制御弁６０が閉弁され、また逆止弁６６が閉弁状態を維持するため、浴槽１３内の汚水が給湯配管３２に逆流することはない。
【００３２】
本実施形態では、湯張りを行う際に、検出ユニット６８により検出される湯水の流量の積算値が演算され、その積算値が設定された湯量に達したときに制御弁６０が閉弁される。それにより、湯張りが完了する。また、追い焚きを行う際にも、その追い焚き循環回路における湯水の循環有無が検出ユニット６８により検出される。すなわち、検出ユニット６８が、湯張りの際の出湯量を検出するためのフローセンサとして機能するとともに、追い焚きの際の湯水の循環有無を検出するためのフロースイッチとしても機能する。検出ユニット６８が後者のフロースイッチとして機能するとき、その循環継続時間により追い焚き終了時間の目安を求めることもできる。この検出ユニット６８の構成および動作の詳細については後述する。
【００３３】
次に、検出ユニットの具体的構成について説明する。図２は、検出ユニットの全体構成を表す断面図である。図３は、センサの回転軸および回転体の構成を表す説明図である。図３（ａ）〜（ｃ）は、第１回転体および回転軸の組み付け構造を示す。（ａ）は平面図であり、（ｂ）は正面図であり、（ｃ）は底面図である。図３（ｄ）は第２回転体を表す斜視図である。図３（ｅ）は、回転体と回転軸との組み付け構造を表す断面図である。図４は、図２のＡ−Ａ矢視断面図である。
【００３４】
図２に示すように、検出ユニット６８は、分岐配管９０とセンサ９２とを備える。分岐配管９０はＴ字形のボディ９３を有する管継手であり、導入管部９４と導入出管部９６と導出管部９８とを接続し、三方向に開口する。ボディ９３は、「メインボディ」として機能する。導入管部９４には湯水を導入する導入ポートが設けられ、導入出管部９６には湯水を導入又は導出する導入出ポートが設けられ、導出管部９８には湯水を導出する導出ポートが設けられている。導入管部９４と導出管部９８とは同軸状に接続されて直管部９５を構成し、それらに直交するように導入出管部９６が接続されている。導入出管部９６と導出管部９８とはそれらの接続点１１１にて直角に曲がる曲がり管部９７を構成する。
【００３５】
導入管部９４は第１開口端１０６を有し、導入出管部９６は第２開口端１０８を有し、導出管部９８は第３開口端１１０を有する。第１開口端１０６は湯水を導入する導入ポートとして機能し、第２開口端１０８は湯水を導入又は導出する導入出ポートとして機能し、第３開口端１１０は湯水を導出する導出ポートとして機能する。これらの開口端はそれぞれ他の配管に分岐配管９０を接続するための接続口である。ボディ９３内には、第１開口端１０６と第３開口端１１０とをつなぐ第１流路１０５と、第１流路１０５から分岐して第２開口端１０８とつながる分岐流路１０７と、第２開口端１０８と第３開口端１１０とをつなぐ第２流路１０９とが形成される。第１流路１０５と第２流路１０９は、互いの中間部（第１流路１０５における分岐流路１０７への分岐点）にて接続されている。この接続点１１１は、上述した分岐点Ｐと一致する。
【００３６】
第１開口端１０６は、給湯配管３２の浴槽１３側の末端に接続される。図１を参照して説明したように、給湯配管３２は、貯湯タンク１４から送出されて適温に調整された湯水を浴槽１３へ落とし込む給湯回路を、浴槽１３に溜められた湯水を追い焚きするための循環回路に接続する配管である。第２開口端１０８は、追い焚き循環回路の接続通路８０に接続される。第３開口端１１０は、追い焚き循環回路の循環通路８２に接続される。このようにして、分岐配管９０は、循環回路（接続通路８０および循環通路８２）と給湯配管３２との接続部を形成する。第２開口端１０８と第３開口端１１０とをつなぐ管路は、追い焚きのための循環回路の一部となっている。
【００３７】
湯張り時（給湯時）には、図中実線矢印にて示すように、給湯配管３２から第１開口端１０６を介して導入された湯水が、接続点１１１にて分岐するように流れる。すなわち、その湯水は、一方で接続点１１１をそのまま直進して第３開口端１１０を介して循環通路８２へ導かれ、他方で接続点１１１にて９０度進行方向を変え、第２開口端１０８を介して接続通路８０へ導かれる。一方、追い焚き時には、図中点線矢印にて示すように、接続通路８０から第２開口端１０８を介して導入された湯水が、接続点１１１にて９０度進行方向を変え、第３開口端１１０を介して循環通路８２へ導かれる。この追い焚き時には、図１に示した逆止弁６６が閉弁状態となるため、第１開口端１０６を介した湯水の流通は遮断される。このため、第２開口端１０８から導入された湯水が第１開口端１０６側に導かれることはない。つまり、湯水が第１流路１０５を逆流することはない。
【００３８】
センサ９２は、羽根車の回転に基づいて検出信号を出力する回転式のフローセンサである。センサ９２は、センサ本体１１２と検出部１１４とを備える。センサ本体１１２は、有底円筒状のボディ１１６と、ボディ１１６の軸線に沿って延在する回転軸１１８を含む。ボディ１１６の内方には湯水を流通させる内部通路１２０が形成され、その内部通路１２０の上流端には湯水を導入するための入口ポート１２２が設けられ、下流端には湯水を導出するための出口ポート１２４が設けられている。
【００３９】
回転軸１１８は、金属製の回転軸１２６と、樹脂製の回転軸１２８とを軸線方向に同軸状に接続して構成される。回転軸１２６は「第１回転軸」として機能し、回転軸１２８は「第２回転軸」として機能する。回転軸１２６には樹脂製の羽根車１３０が一体に設けられ、回転軸１２８には樹脂製の羽根車１３２が一体に設けられている。羽根車１３０が「第１回転体」として機能し、羽根車１３２が「第２回転体」として機能する。ボディ１１６の上流側開口端部には整流器１３４が嵌着されている。これらボディ１１６と整流器１３４が「センサボディ」を構成する。
【００４０】
図３（ａ）〜（ｃ）にも示すように、羽根車１３０は、回転軸１２６を中心に放射状に延びる４枚の羽根１３６を有する。図３（ｅ）に示すように、回転軸１２６は、軸線方向中央に設けられた小さな切欠部１３８を除き、その全長にわたって均一な円断面を有する円柱状に形成されている。羽根１３６は平羽根からなり、回転軸１２６の外周面に９０度ごとに設けられている。本実施形態では、これらの羽根１３６を磁性粉が混合された樹脂材のモールド成形により得ており、隣接する羽根１３６が異なる磁極を示すように構成されている。すなわち、隣接する平羽根にＮ極とＳ極とを交互に着磁させている。変形例においては、永久磁石等を羽根１３６の表面や内部に固定してもよい。各羽根１３６は、その内周面の中央部が切欠部１３８に嵌合する形となり、回転軸１２６の軸線方向にずれないように構成されている。
【００４１】
図３（ｂ）および（ｅ）に示すように、回転軸１２８は、所定の金型を用いた樹脂材の射出成形により段付円柱状に形成されている。回転軸１２８は、回転軸１２６よりも大径の本体を有し、その本体の上端部に半径方向外向きに突出する係止部１４０を有する。係止部１４０は、その外径および内径が上方に向かって段階的に拡径する段付円板状をなし、その内方には所定深さの嵌合穴１４２が形成されている。この嵌合穴１４２に回転軸１２６の一方の端部が圧入されることにより、回転軸１２６と回転軸１２８とが同軸状に固定されている。回転軸１２８の側面には部分的に平坦部１４４（いわゆるＤカット形状）が設けられている。
【００４２】
図３（ｄ）に示すように、羽根車１３２は、円筒状の本体１３３を有し、その本体１３３の軸線を中心に放射状に延びる４枚の羽根１４６と、その上方に設けられた円錐状のガイド部１４８を有する。ガイド部１４８は、上端部の外径が回転軸１２８の外径よりやや大きく、下端部の外径が４枚の羽根１４６の外接円の径とほぼ等しくされ、上流側から下流側に向けて大径化するテーパ面を有する。ガイド部１４８の下面は、下流側に面する壁面１５０を形成する。図３（ｅ）に示すように、羽根車１３２は、回転軸１２８に対して下方（係止部１４０とは反対側）から組み付けられ、止輪１５２により回転軸１２８に固定される。羽根車１３２の内周面にも図示しない平坦部が設けられており、その平坦部が回転軸１２８の平坦部１４４と係合するように組み付けられる。それにより、羽根車１３２が回転軸１２８に安定に固定され、両者の相対的な回転が防止されている。
【００４３】
図２に戻り、検出部１１４は磁気センサからなり、例えばリードスイッチやホール素子等磁界の変化を検出するセンサ素子を用いることができる。なお、検出部１１４は羽根車１３０の回転状態を検出できればよく、その種類は適宜選択できる。検出部１１４は、羽根車１３０の側方の配管壁内に埋設されているが、配管外面に配置してもよい。
【００４４】
回転軸１１８は、整流器１３４の中央に設けられた軸受１６０と、ボディ１１６の底部中央に設けられた軸受１６２とにより回転自在に二点支持されている。軸受１６０は「第１軸受」として機能し、軸受１６２は「第２軸受」として機能する。より詳細には、回転軸１２６の一端部が軸受１６０に挿通されて回転可能に支持され、回転軸１２８の一端部が軸受１６２に挿通されて回転可能に支持されている。
【００４５】
すなわち、整流器１３４は、リング状の本体の中央部に軸部を有し、その軸部の回転軸１２６との対向面に設けられた嵌合溝により軸受１６０が構成されている。回転軸１２６の上流側端部が軸受１６０に摺動可能に挿通されている。一方、ボディ１１６の底部には、内方に向けてやや突出する円ボス状の軸受１６２が設けられている。ボディ１１６の底部における軸受１６２の周囲には、内外を連通する複数の連通孔１６４が設けられている。連通孔１６４は、出口ポート１２４として機能する。なお、図示のように、係止部１４０が軸受１６２の上流側端面に係止されることにより、回転軸１２８の脱落が防止されている。回転軸１２８は、第１流路１０５と第２流路１０９との接続点１１１に到るまで延出し、片持ち状に支持されている。羽根車１３２は、その４つの羽根１４６が接続点１１１に位置するように配置されている。
【００４６】
整流器１３４は、湯水が第１流路を流れるときに羽根車１３０の上流側近傍にて渦流を生成する。すなわち、上述のように羽根車１３０の羽根１３６が回転軸１２６に対して平行な平羽根からなる場合、羽根１３６を回転させるための湯水の流れは、渦巻き状の軸流であることが必要となる。このため、整流器１３４には、羽根車１３０の上流側に渦流を形成するための複数枚の整流羽根１３５が配設されている。この整流羽根１３５は、軸線周りに捩じられたスクリュー状に形成されている。本実施形態では、７枚の整流羽根１３５が等間隔で配置されている（図２には一枚のみ表示）。隣接する整流羽根１３５間に形成される通路が、入口ポート１２２として機能する。
【００４７】
複数枚の整流羽根１３５は、外縁部分で環状に連結されて整流リングを形成している。給湯配管３２から第１開口端１０２を介して流れ込む湯水は、整流羽根１３５を通過することにより、その整流羽根１３５の捩れに応じた渦流となり、羽根車１３０に導かれる。その結果、羽根車１３０は、渦流の軸流速度、つまり湯水の流速に応じた回転速度で回転することになる。そして、羽根車１３０の回転速度に応じた磁界の変化を検出部１１４にて検出することにより、第１開口端１０２から流入する湯水の流量を算出することができる。図示しない演算部は、この流量を積算することにより、浴槽１３への注湯量を算出することができる。この演算部は、給湯システムの制御部の一部を構成するが、制御部とは別に構成されてもよい。例えば、検出部１１４と一体または検出部１１４に隣接して配置してもよい。
【００４８】
ボディ１１６の円筒側面の一部は平坦部（Ｄカット形状）とされている。また、センサ本体１１２を受け入れるボディ９３の内壁も同様に平坦部とされている。センサ本体１１２をボディ９３内に組み付ける際には、これらの平坦部同士の係合により、センサ本体１１２の軸線周りの回転方向の位置決めを正確に行うことができる。センサ本体１１２のボディ９３に対する軸流方向の位置決め（圧入量）は、ボディ９３の内壁面に形成された段部１６６にボディ１１６の底部（軸受１６２側の端部）を当接させることで行うことができる。
【００４９】
図４に示すように、第２流路１０９における接続点１１１の上流側近傍には、羽根車１３０に回転力を与える方向に湯水を導くための誘導構造が設けられている。この誘導構造は、接続点１１１の上流側にて第２流路１０９の流路の半分を遮蔽する遮蔽壁１７０により実現される。すなわち、遮蔽壁１７０により第２流路１０９の半分を遮蔽することで、追い焚き時に第２開口端１０８を介して湯水が導入されると（図中点線矢印参照）、その湯水を羽根車１３２の軸線に対して偏った位置に導くことができる。その結果、羽根車１３２を水車のような態様で常に図中時計方向に回転させることが可能となる。
【００５０】
なお、誘導構造は、第２流路１０９を流れる湯水を羽根車１３２が回転しやすい所定の位置に誘導できればよく、図示の構造以外にも、例えば第２流路１０９の内壁に整流翼を設けたり、凹凸を設けることによって実現してもよい。なお、本実施形態では、湯張り時と追い焚き時とで羽根車１３２の回転方向（つまり羽根車１３０の回転方向）が逆方向となるように遮蔽壁１７０が形成されている。
【００５１】
図２に戻り、このような羽根車１３２の回転は、回転軸１１８を介して羽根車１３０に伝達され、検出部１１４により検出される。すなわち、羽根車１３０は、第２流路１０９を流れる湯水によっても、その流速に応じた回転速度で回転することになる。そして、羽根車１３０の回転速度に応じた磁界の変化を検出部１１４で検出することにより、図示しない演算部は、第２流路１０９を流れる湯水の流量を算出することができる。
【００５２】
ただし、第２流路１０９を流れる湯水は、遮蔽壁１７０の影響を受けて乱流を生じ易くなることがあり、羽根車１３２ひいては羽根車１３０の回転も不安定になることがある。そのため、本実施形態では、演算部は、第２流路１０９を流れる湯水によって羽根車１３２が回転している場合は、湯水が流動しているか否かのみを検出する。つまり、本実施形態では基本的に、羽根車１３２をフロースイッチとして利用する。
【００５３】
以上のような構成において、検出部１１４は、羽根車１３０の回転に応じた検出信号を出力する。図示しない制御部は、湯張り時に検出部１１４の検出値をサンプリングし、それを積算することにより給湯配管３２を流れる湯水の流量を算出する。そして、その算出値が設定された湯量に到達すると、ソレノイドへの通電を停止して制御弁６０を閉弁させ、給湯を停止する。
【００５４】
一方、追い焚き時には制御弁６０が閉弁状態とされているため、逆止弁６２および逆止弁６６がともに閉弁状態を維持する。一方、ポンプ８４が駆動されるため、浴槽１３から湯水が導出され、追い焚き循環回路を流れるようになる。その結果、羽根車１３０の回転方向は湯張り時とは逆方向となる。制御部は、その検出部１１４の検出値に基づいて浴槽１３の湯水の循環有無を判定する。
【００５５】
本実施形態では、ポンプ８４が駆動されており、かつ検出部１１４により検出される羽根車１３０の回転数が所定回転数以上となっている場合に、制御部は、浴槽１３の湯水が追い焚き循環回路を循環している（追い焚き中である、あるいは追い焚き機能が正常に動作している）と判定する。ポンプ８４が駆動されているにもかかわらず、羽根車１３０の回転数が所定回転数以上とならない場合には、制御部は、浴槽１３の湯水が追い焚き循環回路を循環していない（追い焚き中ではない、あるいは追い焚き機能が正常に動作していない）と判定する。
【００５６】
すなわち、検出ユニット６８は、湯張りの際の出湯量を検出するためのフローセンサとして機能するとともに、追い焚きの際の湯水の循環有無を検出するためのフロースイッチとしても機能する。制御部は、検出される湯水の流れが注湯であるか循環であるかを識別することも可能である。検出ユニット６８がフロースイッチとして機能するとき、その循環継続時間により追い焚き終了時間の目安を求めることもできる。なお、変形例においては、追い焚き時においても検出部１１４の検出値を積算して湯水の流量を算出するようにしてもよい。すなわち、検出ユニット６８を、湯張り時および追い焚き時のいずれにおいてもフローセンサとして機能させてもよい。
【００５７】
次に、センサ９２への異物の絡み防止構造について説明する。図５は、異物絡み防止構造およびその作用を示す説明図である。なお、同図には説明の便宜上、羽根車１３２の断面ではなく外観が示されている。
【００５８】
追い焚き時に循環する湯水には、浴槽１３の利用者の入浴によって毛髪や湯垢等の異物が混入している場合がある。特に羽根車１３０，１３２の回転により摺動する部分、つまり回転軸１１８と各軸受１６０，１６２との間に異物が絡み付くと、それらの回転不良を引き起こす要因となる。またそのような場合、絡み付いた異物をメンテナンス等により除去する必要があり、ランニングコストが嵩む。
【００５９】
そこで、本実施形態ではこのような事態を回避又は少なくとも抑制するために、図５にも示すように、接続点１１１に近い側の軸受１６２を、第１流路１０５におけるその接続点１１１よりも上流側に配置している。このような構成により、仮に追い焚き循環回路を流れる湯水に汚物が混入していたとしても、その異物が軸受１６２および軸受１６０に導かれないようにしている。上述のように、追い焚き時においては第１開口端１０６を介した湯水の流通が遮断されているため、第１流路１０５における接続点１１１よりも上流側領域には湯水が淀んだ状態となり、壁のように機能する。このため、追い焚き循環回路を流れる湯水は、センサ本体１１２が配置された領域には導かれ難く、第２開口端１０８から第３開口端１１０に向けて流れ易くなる。すなわち、検出ユニット６８が異物の影響を受け難くすることができる。
【００６０】
また、羽根車１３２の構造および配置にも工夫がなされている。すなわち、上述のように、羽根車１３２の上部にはガイド部１４８が設けられ、そのガイド部１４８の側面がテーパ面とされており、その下端が複数の羽根１４６の側面に滑らかにつながっている。また、ガイド部１４８の下面が下流側に面した壁面１５０とされている。そして図示のように、ガイド部１４８が、第１流路１０５における接続点１１１よりも上流側に位置するように配置されている。図示の例では、ガイド部１４８の下流端が、第２流路１０９の接続点１１１への開口端よりも第１流路１０５の上流側にｈの距離に位置するよう設定されている。
【００６１】
このような配置構成により、毛髪等の異物が羽根車１３２に対して絡み付き難くされている。すなわち、第２流路１０９を流れる異物は、そのほとんどがガイド部１４８の下方を通ってそのまま下流側に導かれるか（波線矢印参照）、又は壁面１５０にて跳ね返るようにして下流側に導かれる（一点鎖線矢印参照）。仮に、異物の一部が浮遊してガイド部１４８の側に侵入したとしても、そのテーパ面を滑るように下流側に導かれるようになる（二点鎖線矢印参照）。その結果、羽根車１３２への異物の絡み付きを効果的に防止又は抑制することができる。
【００６２】
なお、仮に追い焚きにより循環した異物が羽根車１３２に付着するなどして残留したとしても、次に湯張りが行われたときに第１開口端１０６から導入された湯水により洗い流されるため、その残留した異物が悪影響を及ぼす可能性は低い。
【００６３】
以上に説明したように、本実施形態によれば、追い焚き循環回路と給湯配管３２との接続部に分岐配管９０が設けられ、その分岐配管９０に検出ユニット６８が設けられるところ、その羽根車の回転軸を支持する軸受１６０，１６２が、第１流路１０５における接続点１１１よりも上流側に設けられる。このため、仮に循環回路を流れる汚水に異物が含まれていたとしても、その湯水が接続点１１１を超えて第１流路１０５の上流側へ侵入するのは難しく、循環回路に沿って第２流路１０９の下流側へ導かれるようになる。このため、接続点１１１よりも第１流路１０５の上流側に位置する軸受１６０，１６２に異物が侵入する可能性は低い。すなわち、異物の影響を受け難い検出ユニットを有する給湯システムを提供することができる。また、浴槽１３への注湯量計測のためのフローセンサと循環運転検知のためのフロースイッチの２つの機能を１つのフローセンサにより実現することができる。これにより、部品点数の削減や配管接続の簡素化が実現でき、給湯システム全体の価格低減につなげることができる。
【００６４】
また、本実施形態では、回転軸１２６に回転軸１２８を直列に接続することにより、軸線方向に２つの羽根車１３０，１３２を配置するセンサ９２を簡易に実現することができる。特にセンサ９２の構成においては、整流器１３４、羽根車１３０、回転軸１２６などについて、既存のセンサの部品をそのまま流用することもでき、部品コストの低減が可能となる。
【００６５】
以上、本発明の好適な実施形態について説明したが、本発明はその特定の実施形態に限定されるものではなく、本発明の技術思想の範囲内で種々の変形が可能であることはいうまでもない。
【００６６】
図６は、変形例に係るセンサの回転軸および回転体の構成を表す説明図である。（ａ）は平面図であり、（ｂ）は正面図であり、（ｃ）は底面図である。なお、同図において上記実施形態とほぼ同様の構成部分については同一の符号を付している（以下の変形例についても同様）。
【００６７】
本変形例では、「第２回転軸」として、上記実施形態の回転軸１２８に代えて回転軸２２８を採用する。回転軸２２８は、係止部１４０の上面から上方に延設された４つの爪部２３０を有する。各爪部２３０は、「係合部」として機能し、羽根車１３０の４つの羽根１３６の間に嵌合するように組み付けられる。この嵌合構造により、回転軸１２６と回転軸２２８との相対的な回転が防止される。
【００６８】
図７は、他の変形例に係る検出ユニットの全体構成を表す断面図である。本変形例では、「第２回転軸」としての回転軸３２８に羽根車１３２を外挿するようにして組み付けた後、回転軸３２８の下端部３５０に熱加締めを施し、回転軸３２８と羽根車１３２とを接合する。このような接合方法を採用することにより、上記実施形態のような止輪１５２が不要となり、部品点数を削減することが可能となる。
【００６９】
図８は、他の変形例に係る検出ユニットの全体構成を表す断面図である。本変形例では、センサのボディ４１６の下流側端部にストレーナ４５０が設けられる。ストレーナ４５０は、異物の通過を防止又は抑制するためのフィルタを含み、軸受１６２と羽根車１３２との間に位置する。このような構成により、第２流路１０９を通過した異物がセンサの内部へ侵入することをより効果的に防止することができる。このストレーナ４５０は、中央開口部に上流側にやや折り曲げられ折り返し部４５２を有する。すなわち、ストレーナ４５０の開口端のエッジが上流側に向けられ、折り返し部４５２の下流側端部がＲ形状にて下流側に面するように構成されている。このような構成により、浮遊する異物がストレーナ４５０の開口部に引っ掛かり難くされている。
【００７０】
上記実施形態では羽根車１３０の羽根として平羽根を採用したが、スクリュー状に捻られた羽根（「ねじり羽根」ともいう）としてもよい。それにより、整流器１３４を単なる軸受部材に置き換えることができ、部品コストを削減することができる。
【００７１】
上記実施形態では、回転軸１２８を樹脂材にて構成したが、金属材にて構成してもよい。また、上記実施形態では、回転軸１２６を金属材にて構成したが、樹脂材にて構成してもよい。その場合、回転軸１２６を支持する軸受との摺動性を確保するために、フッ素樹脂やポリアセタール樹脂等のような潤滑性のよい樹脂材で形成することが望ましい。
【００７２】
上記実施形態では、回転軸１２６と回転軸１２８とを圧入により固定する例を示した。変形例においては圧入ではなく、接着、接合、嵌合、加締め、螺合その他の手段により両者を固定してもよい。
【００７３】
上記実施形態では、検出部１１４を羽根車１３０に対応する位置に配置した。変形例においては、検出部１１４を羽根車１３２に対応する位置、つまり接続点１１１に対応する位置に配置してもよい。その場合、羽根車１３２に着磁させるようにする。
【００７４】
上記実施形態では述べなかったが、検出ユニットにおけるセンサ９２の上流側に逆止弁を配置してもよい。その場合、図１に示した逆止弁６６を省略してもよい。すなわち、ボディにおける検出部の上流側に逆止弁を設けてもよい。
【００７５】
上記実施形態では、検出ユニットのボディを一体成形により得る例を示したが、別体で成形した複数の管部材を組み付けてボディを形成してもよい。また、例えば検出ユニット６８のボディと制御弁ユニット５４のボディとを一体に組み付け、共用のボディとしてもよい。
【００７６】
上記実施形態では、第１回転体および第２回転体をそれぞれ４枚の羽根を有する羽根車として構成する例を示したが、羽根の枚数は４枚に限られず、適宜設定することができる。また、第１回転体および第２回転体の少なくとも一方に、平板や整流形状（整流羽根のような形状）のものを採用することもできる。
【００７７】
上記実施形態では、上記検出ユニットを３つの開口端を備える三つ叉の分岐配管に設ける例を示したが、４つの開口端を備える分岐配管など、種々の配管に設けてもよいことは言うまでもない。４つの開口端を備える分岐配管とする場合、例えば、第１開口端と第２開口端とをつなぐ第１流路と、第３開口端と第４開口端とをつなぐ第２流路とを形成し、両流路が互いの中間部にて接続される構成としてもよい。その場合、第１開口端につながる第１流路の上流側流路と、第４開口端につながる第２流路の下流側流路とが接続点を介して直線状に接続されるようにしてもよい。そして、共通の回転軸に第１羽根車と第２羽根車を設け、第１羽根車を第１流路の上流側流路に配置し、第２羽根車を接続点又は第２流路の下流側流路に配置してもよい。あるいは、第１開口端につながる第１流路の上流側流路と、第３開口端につながる第２流路の上流側流路とが接続点を介して直線状に接続されるようにしてもよい。そして、共通の回転軸に第１羽根車と第２羽根車を設け、第１羽根車を第１流路の上流側流路に配置し、第２羽根車を接続点又は第２流路の上流側流路に配置してもよい。
【００７８】
上記実施形態では、ポンプ８４の駆動と検出ユニットによる回転検出により、追い焚き循環回路を湯水が正常に循環しているか否かを判定する例を示した。変形例においては、検出ユニットの検出情報に基づいて羽根車の回転方向を判定し、湯水の循環有無を検出できるようにしてもよい。すなわち、羽根車の回転方向に応じて磁気センサが出力する検出信号のパルス波形が異なるように羽根を着磁させてもよい。例えば、隣接するＮ極とＳ極の幅に変化をもたせる、あるいは羽根車の平羽根を奇数本とするなどにより、羽根車が正回転しているときと逆回転しているときを判別可能としてもよい。
【００７９】
これにより、磁気センサの検出値が湯張り時とは逆、つまり羽根車の回転方向が湯張り時とは逆方向であることを示す値となっている場合に、制御部は、浴槽１３の湯水が追い焚き循環回路を循環している（追い焚き中である、あるいは追い焚き機能が正常に動作している）と判定するようにしてもよい。また、磁気センサの検出値が湯張り時と同じ、つまり羽根車の回転方向が湯張り時とは同方向であることを示す値となっている場合には、制御部は、浴槽１３の湯水が追い焚き循環回路を循環していない（追い焚き中ではない、あるいは追い焚き機能が正常に動作していない）と判定するようにしてもよい。このように、羽根車の回転方向を判定可能とすれば、例えば追い焚き循環回路を流れる湯水の流量を検出することも可能となる。すなわち、２つのフローセンサの機能を兼ね備えた検出ユニットを構成することができる。
【００８０】
上記実施形態では、本発明の制御弁ユニットを貯湯式給湯装置に適用する例を示した。変形例においては即時式給湯装置の必要箇所に適用してもよい。また、湯水以外を作動流体とし、その作動流体の流量の調整や遮断が必要となる流体循環装置に適用してもよい。
【００８１】
なお、本発明は上記実施形態や変形例に限定されるものではなく、要旨を逸脱しない範囲で構成要素を変形して具体化することができる。上記実施形態や変形例に開示されている複数の構成要素を適宜組み合わせることにより種々の発明を形成してもよい。また、上記実施形態や変形例に示される全構成要素からいくつかの構成要素を削除してもよい。
【符号の説明】
【００８２】
１０  貯湯ユニット、  １３  浴槽、  ３２  給湯配管、  ５４  制御弁ユニット、  ６８  検出ユニット、  ７０  熱交換器、  ８０  接続通路、  ８２  循環通路、  ９０  分岐配管、  ９２  センサ、  ９３  ボディ、  １０５  第１流路、  １０９  第２流路、  １１１  接続点、  １１２  センサ本体、  １１４  検出部、  １１６  ボディ、  １１８  回転軸、  １２０  内部通路、  １２２  入口ポート、  １２４  出口ポート、  １２６，１２８  回転軸、  １３０，１３２  羽根車、  １３６  羽根、  １４０  係止部、  １４６  羽根、  １４８  ガイド部、  １５０  壁面、  １６０，１６２  軸受、  １７０  遮蔽壁、  ２２８  回転軸、  ２３０  爪部、  ３２８  回転軸、  ４１６  ボディ、  ４５０  ストレーナ。
【図１】
2015219019.tif 000003
【図２】
2015219019.tif 000004
【図３】
2015219019.tif 000005
【図４】
2015219019.tif 000006
【図５】
2015219019.tif 000007
【図６】
2015219019.tif 000008
【図７】
2015219019.tif 000009
【図８】
2015219019.tif 000010